(57)【要約】  電力供給ブロック及び制御ブロックにより形成される固体状態スイッチから構成される短絡故障状態の早期検出のための自動的かつ自律的な電子システムである。前記制御ブロックを介して、電気信号を受け取り電気信号間の差異を与えることができるオプトカプラが作動させられる。その配置は、電流を遮断して、電気アークなしに、閾値における降下なしに、かつ熱放散なしに自動的又は手動により後者を回復するために故障状態（短絡）のタイプを認識することを可能にし、これにより保護されるべき電気機器又は設備の耐用年数を増加させ、応答時間を削減し、かつ動作を回復する。
2013535072.tif 000002
【特許請求の範囲】
【請求項１】
一つは供給サブ回路であって別の一つは制御サブ回路であり、これらが相互接続された二つのサブ回路の統合を特徴とし、当該回路とその両方のサブ回路が固体スイッチを形成する、短絡故障状態の早期検出のための自動的かつ自律的な電子システム。
【請求項２】
第一のサブ回路の供給ブロックすなわち電力ブロックが、スイッチを介して制御すなわち第二のサブ回路に統合されていることを特徴とする、短絡故障状態の早期検出のための自動的かつ自律的な電子システム。
【請求項３】
供給すなわち電力回路が、二つのキャパシタアセンブリに接続された電力供給線と三つの抵抗から構成されることを特徴とする、短絡故障状態の早期検出のための自動的かつ自律的な電子システム。
【請求項４】
キャパシタアセンブリと複数の抵抗が整流ブリッジを提供することを特徴とする、短絡故障状態の早期検出のための自動的かつ自律的な電子システム。
【請求項５】
整流ブリッジが抵抗に接続されていることを特徴とする、短絡故障状態の早期検出のための自動的かつ自律的な電子システム。
【請求項６】
整流ブリッジがＭＯＣオプトカプラに給電する（supply）ことを特徴とする、短絡故障状態の早期検出のための自動的かつ自律的な電子システム。
【請求項７】
ＭＯＣオプトカプラがＴＲＩＡＣ出力を作動させることを特徴とする、短絡故障状態の早期検出のための自動的かつ自律的な電子システム。
【請求項８】
故障（短絡）が発生した場合に、出力がスイッチを通じて制御ブロックすなわちサブ回路に向けられることを特徴とする、短絡故障状態の早期検出のための自動的かつ自律的な電子システム。
【請求項９】
制御ブロックがスイッチを介して向けられた出力を必要とするキャパシタから構成されることを特徴とする、短絡故障状態の早期検出のための自動的かつ自律的な電子システム。
【請求項１０】
キャパシタが整流ブリッジに給電する（feed）ことを特徴とする、短絡故障状態の早期検出のための自動的かつ自律的な電子システム。
【請求項１１】
整流ブリッジがトランジスタアセンブリとキャパシタとツェナーダイオードに接続されていることを特徴とする、短絡故障状態の早期検出のための自動的かつ自律的な電子システム。
【請求項１２】
トランジスタアセンブリがその抵抗と共に（with its resistance）キャパシタに接続されていることを特徴とする、短絡故障状態の早期検出のための自動的かつ自律的な電子システム。
【請求項１３】
キャパシタがマイクロリレーに給電することを特徴とする、短絡故障状態の早期検出のための自動的かつ自律的な電子システム。
【請求項１４】
マイクロリレーがＭＯＣオプトカプラを作動させ、今度は前記ＭＯＣオプトカプラがＴＲＩＡＣ閉鎖（closure）を作動させることを特徴とする、短絡故障状態の早期検出のための自動的かつ自律的な電子システム。
【請求項１５】
ＴＲＩＡＣが出力閉鎖の際に３０マイクロ秒の平均値にて出力を遮断し、これにより電流アークの発生、閾値降下及び熱放散を防止することを特徴とする、短絡故障状態の早期検出のための自動的かつ自律的な電子システム。
【請求項１６】
電力供給が手動又は自動のいずれかにより回復し得ることを特徴とする、短絡故障状態の早期検出のための自動的かつ自律的な電子システム。
【発明の詳細な説明】
【技術分野】
【０００１】
（発明の技術的範囲）
本発明は、エレクトロニクスの分野に関する。
【背景技術】
【０００２】
（発明の背景）
電力遮断器及び回路遮断器は、過負荷又は短絡によって引き起こされる損傷から電子回路を保護することを意図された自動装置である。それらの基本機能は、故障状態を検出して回路内の電気の流れを中断することである。
【０００３】
電力遮断器の寸法及び能力に依存して、電力遮断器が互いに著しく異なるにもかかわらず、それらはいくつかの共通の特徴を共有する。一般に、全ての遮断器は故障状態を検出することが可能な装置と、電流遮断装置から構成される。
【０００４】
次に、遮断器は、通常の電流の流れが許された故障状態の発生に先立って接点を開放又は分離しなければならない。標準的な遮断器の接点は通常銅から作られているが、それらは銀及び他の合金からも作られ得る。電流が遮断されるとき、電流のアークが生成される。遮断器は、電力が中断される時に電流のアークから結果として生じる放熱に耐えるべきである。このことは、遮断器の部品のうちのいくつか、特に装置接点の摩耗又は物理的消耗に起因して、遮断器の部品の減少した耐用年数を結果として生じる。
【０００５】
電力遮断器の異なる技術は、真空、空気又は気体を冷却目的のために使用する。直流（ＤＣ）回路接点に並列に接続されたいくつかのキャパシタもまた使用され得る。
【０００６】
国際標準ＩＥＣ  ６０８９８‐１及びヨーロッパ標準ＥＮ  ６０８９８‐１は、３０℃にて動作する場合に意図された電流に従って、低電圧回路遮断器の定格電流を規定する。６，１０，１３，１６，２０，２５，３２，４０，５０，６３，８０アンペア及び最大１００アンペアまでの遮断器が存在する。
【０００７】
低電圧遮断器の中で、下記のものを述べることができる。
・ＭＣＢ（小規模回路遮断器）、１００Ａより高くない定格電流を有する。
これらの遮断特性は通常調整可能ではなく、熱磁気的動作機構を使用する。
・ＭＣＣＢ（成形ケース回路遮断器）、最大２５００Ａまでの定格電流を有する。
遮断を作動させるために必要な電流は通常調整可能である。
大電圧回路遮断器は、Ｋｖ（キロボルト）にて測定される電流を取り扱う。
【０００８】
現在において、故障状態が検出されたときに電流を遮断するために使用される装置又はシステムにおいて、いわゆるソレノイド構成部品の動作は極めて重要である。
【０００９】
ソレノイドは、小型の立体ワイヤコイルである。これは、電子カード内に磁界を作り出すために使用される。これらの磁界は、その後電磁波における変化を検出するために使用され得る。
【００１０】
しかし、電気的故障（短絡）が検出されたときのこれらのシステムの性能又は応答時間は依然として非常に貧困であり、材料の消耗、電流のアーク及び閾値の降下を結果として生じる。これら全ての状態は電気設備の安全性に影響を有し、多数の事故の可能性をもたらす。
【発明の開示】
【課題を解決するための手段】
【００１１】
その名前が示すように溶解又は融解することが意図されているヒューズとは異なり、本発明の装置はリセットされるように、すなわち３０ｍｓと同じくらい短い期間の後に、又は好適にはプッシュボタンを押すことによって、電流が再度流れることを可能にされるように設計されている。
【００１２】
また、増加した電圧に対する機械的反応によって作動させられる熱磁気的素子を使用し、そのため非常に大きい反応時間と共により大きな重量及び体積を暗示する標準的な電力遮断器と異なり、本発明はシステムの別の構成要素を認識し、同時にコマンド信号によって電流を遮断する論理電子装置を作動させる光信号を送信するためにＬＥＤを使用する。
【００１３】
発明者によって提供される説明によれば、本発明の技術はＡＣ及びＤＣ電気設備の保護を目的とする、現在商業的に利用可能な全ての電力定格を取り扱うことが可能な新しい装置の世代を開発することを可能にするであろう。
【００１４】
これらの利点は、本発明の技術を、セキュリティ、化学及び石油化学工業、宇宙空間技術のような産業における条件のような極端な条件における応用の開発のために実行可能であると共に、非常により好ましい条件下にて現在市場において利用可能な製品と比較して競争することを可能にするものと考えられることを可能にする。
【００１５】
前記に加えて、類似の機能を有する装置と比較して重量及び体積を減少させられた本発明の装置は、そのいくつかが毒性を有し又は希少になる、使用されるべき材料の著しい削減を結果として生じるため、装置をより環境に優しいものにする。
【００１６】
（発明の説明）
本発明の装置は、多数の電子及び光学素子により電気信号を受け取って差異を与えることができる固体状態スイッチ装置である。その配置は、電流を遮断して、電気アークなしに、閾値における降下なしに、かつ熱放散なしに自動的又は手動により後者を回復するために故障状態（短絡）のタイプを認識することを可能にし、これにより保護されるべき電気機器又は設備の耐用年数を増加させ、応答時間を削減し、かつ動作を回復する。
【００１７】
本発明は、短絡の状態が数十マイクロ秒のオーダーの期間内に克服されることを確実にするために、電力部分において統合された電子的保護を提供する。
【００１８】
本発明のシステムの物体（object）は、以下のような統合された一連の電子構成部品から構成される。
【００１９】
このレイアウト設計においては、以下のブロックが識別され得る。
【００２０】
主ブロックすなわち電力ブロック（これは本発明の機器を動作させるために必要とされるエネルギーを供給する）である第一のブロック。
【００２１】
第二のブロックすなわち制御ブロック（これは故障状態のタイプを識別することと適切な場合には電力を遮断することに関与する構成部品を含む）。
【００２２】
第一のブロックを説明する。このブロックは、１２７ボルト、２２０ボルト、４４０ボルト又はより多くの単相、二相、三相の電流に接続され得る電力入力（１）と、二つのキャパシタアセンブリ（２）と、整流ブリッジ（４）に相互接続された三つの抵抗（３）から構成される。整流ブリッジ（４）は、以下の複数の部品（items）、すなわちＴＲＩＡＣ（７）に接続されたＭＯＣ（オプトカプラ）（６）に接続された抵抗（５）に相互接続されている。加えて、整流ブリッジ（４）は抵抗（８）及び信号送出ＬＥＤ（９）に接続されている。これらの構成部品に加えて、電力出力における電圧漏洩を消去するためのスイッチに接続された抵抗が存在する。
【００２３】
第二のブロックを説明する。このブロックは、１２７ボルト、２２０ボルト、４４０ボルト又はより多くの単相、二相、三相の電流に接続され得る電力線入力（１）と、これに接続された静電キャパシタ（２）と、これに続く整流ブリッジ（３）と、今度は整流ブリッジ（３）に相互接続しているトランジスタ（４）と、これに相互接続しているキャパシタ（５）と、これらが相互接続しているダイオード（６）、抵抗（７）、キャパシタ（８）、マイクロリレー（９）、及び信号送出ＬＥＤ（１１）に給電する抵抗（１０）から構成される。
【００２４】
両方のブロックは、スイッチにより相互接続されている。
【００２５】
システム動作を説明する。電力線はサブ回路アセンブリすなわちキャパシタと抵抗のブロックに向けられており、ここで電圧は１２７、２２０又は４４０ボルトから３３ボルト（±５％の変化を有する）に減少させられて整流ブリッジに供給され、今度は前記整流ブリッジがＭＯＣ３０４１に１．５ボルトを供給する。ＭＯＣはＴＲＩＡＣ  Ｑ６０４０Ｐゲートを駆動し又は動作させ、今度は前記ＴＲＩＡＣ  Ｑ６０４０Ｐゲートが電力出力に向けられる。電力出力における故障（短絡）の場合には、電圧はスイッチを介して第二のブロックにフィードバックし、これにより故障（短絡）の場合の開放のためのブロック動作を作動させる。
【００２６】
第二のブロックを作動させると、第二のブロックの整流ブリッジは静電キャパシタ（２）にフィードバックし、整流ブリッジ（３）がこれに続き、前記整流ブリッジ（３）はキャパシタ（５）に接続されたトランジスタ（４）に相互接続されており、これらはダイオード（６）、抵抗（７）、キャパシタ（８）及びマイクロリレー（９）に相互接続されている。前記マイクロリレー（９）はＴＲＩＡＣゲートを作動させるＭＯＣ電力供給を遮断し、これにより短絡故障状態を除去する。
【００２７】
一旦故障（短絡）状態が是正されると、本発明のシステムは手動により又は自動的に電圧を電力出力に回復する。
【発明を実施するための最良の形態】
【００２８】
保護が求められる本発明は、好適には以下のように実行され得る。
【００２９】
（１）１２７ボルト単相電流
第一のブロックを説明する。このブロックは、１２７Ｖ電力入力（１）と、これに接続された２２Ｋマイクロファラドの二つのキャパシタのアセンブリ（２）と、三つの抵抗（一つは１００Ｋオームで二つは１０Ｍオーム）（３）と、これに相互接続されたＢＡ１５７ＧＰ整流ブリッジと、前記ＢＡ１５７ＧＰ整流ブリッジに相互接続された以下の複数の部品、すなわち１Ｋオームの抵抗（５）と、これに接続された部品ＭＯＣ  ３０４１（６）と、これに接続されたＴＲＩＡＣ  Ｑ６０４０Ｐ（７）から構成される。加えて、整流ブリッジ（４）は１００Ｋオームの抵抗（８）と信号送出ＬＥＤ（９）に接続されている。これらの構成部品に加えて、電力出力における電圧漏洩を消去するためのスイッチに接続された２７０オームの抵抗が存在する。
【００３０】
第二のブロックを説明する。このブロックは、１２７Ｖ電力入力（１）と、これに接続された７７Ｋマイクロファラドのキャパシタ（２）と、これに続くＢＡ１５７ＧＰ整流ブリッジと、これらの全てに相互接続された以下の複数の部品、すなわちＢＣ５４７トランジスタ（４）と、これに相互接続された１６ボルト、２．２マイクロファラドのキャパシタ（５）と、これに相互接続されたＩＮ４７３３Ａツェナーダイオード（６）と、１Ｋオームの抵抗（７）と、１６ボルト、２２マイクロファラドのキャパシタ（８）と、ＴＱ２‐１２ボルトマイクロリレー（９）と、信号送出ＬＥＤ（１１）に給電する３３Ｋオームの抵抗（１０）から構成される。
【００３１】
両ブロックは、１２７ボルト、３アンペアのスイッチと相互接続されている。
【００３２】
システム動作を説明する。電力線は、サブ回路アセンブリ又はキャパシタ及び抵抗のブロックに向けられており、ここで電圧は１２７ボルトから３３ボルト（±５％の変化を有する）に減少させられて整流ブリッジに供給され、今度は前記整流ブリッジはＭＯＣ  ３０４１に１．５ボルトを供給する。ＭＯＣはＴＲＩＡＣ  Ｑ６０４０Ｐゲートを駆動し又は動作させ、前記ＴＲＩＡＣ  Ｑ６０４０Ｐゲートは今度は電力出力に向けられている。電力出力における故障（短絡）の場合には、前記電圧はスイッチを介して第二のブロックキャパシタに供給され、これによりブロック動作を作動させる。
【００３３】
第二のブロックが作動させられると、第二のブロックの整流ブリッジは７７Ｋマイクロファラドのキャパシタ（２）に給電し、これにＢＡ１５７ＧＰ整流ブリッジ（３）が続き、これらは以下の部品、すなわち１６ボルト、２．２マイクロファラドのキャパシタ（５）に相互接続されたＢＣ５４７トランジスタ（４）、これらに相互接続されているＩＮ４７３３Ａツェナーダイオード（６）、１Ｋオームの抵抗（７）、１６ボルト、１０マイクロファラドキャパシタ（８）、及びＴＲＩＡＣゲートを作動させるＭＯＣ電力供給を遮断してこれにより短絡故障状態を除去するＴＱ２‐１２ボルトマイクロリレー（９）に相互接続されている。
【００３４】
故障（短絡）状態が是正されると、本発明のシステムは手動により又は自動的に電力出力に電圧を回復させる。
【００３５】
（２）２２０ボルト単相、二相及び三相電流
第一のブロックを説明する。このブロックは、２２０Ｖ電力入力（１）と、これに接続された２２Ｋマイクロファラドの二つのキャパシタのアセンブリ（２）と、三つの抵抗（一つは１０Ｋオームで二つは１０Ｍオーム）（３）と、これに相互接続されたＢＡ１５７ＧＰ整流ブリッジと、１０Ｋオームの抵抗（５）と、これに接続された以下の複数の部品、すなわちＭＯＣ  ３０４１（６）と、これに接続されたＴＲＩＡＣ  Ｑ６０４０Ｐ（７）から構成される。加えて、整流ブリッジ（４）は１００Ｋオームの抵抗（８）と信号送出ＬＥＤ（９）に接続されている。これらの構成部品に加えて、電力出力における電圧漏洩を消去するためのスイッチに接続された２７０オームの抵抗が存在する。
【００３６】
第二のブロックを説明する。このブロックは、２２０Ｖ電力入力（１）と、これに接続された４７Ｋマイクロファラドのキャパシタ（２）と、これに続くＢＡ１５７ＧＰ整流ブリッジ（３）と、１Ｋオームの抵抗と、これらの全てに相互接続された以下の複数の部品、すなわちＢＣ５４７トランジスタ（４）と、これに相互接続された１６ボルト、２．２マイクロファラドのキャパシタ（５）と、これに相互接続されたＩＮ４７３３Ａツェナーダイオード（６）と、１Ｋオームの抵抗（７）と、１６ボルト、１０マイクロファラドのキャパシタ（８）と、ＴＱ２‐１２ボルトマイクロリレー（９）と、信号送出ＬＥＤ（１１）に給電する３３Ｋオームの抵抗（１０）から構成される。
【００３７】
両方のブロックは、２２０ボルト、３アンペアのスイッチと相互接続されている。
【００３８】
システム動作を説明する。電力線は、サブ回路アセンブリ又はキャパシタ及び抵抗のブロックに向けられており、ここで電圧は２２０ボルトから３３ボルト（±５％の変化を有する）に減少させられて整流ブリッジと１０Ｋオームの抵抗に供給され、今度は前記１０Ｋオームの抵抗はＭＯＣ  ３０４１に１．５ボルトを供給する。ＭＯＣはＴＲＩＡＣ  Ｑ６０４０Ｐゲートを駆動し又は動作させ、前記ＴＲＩＡＣ  Ｑ６０４０Ｐゲートは今度は電力出力に向けられている。電力出力における故障（短絡）の場合には、前記電圧はスイッチを介して第二のブロックキャパシタに供給され、これによりブロック動作を作動させる。
【００３９】
第二のブロックが作動させられると、第二のブロックの整流ブリッジは４７Ｋマイクロファラドのキャパシタ（２）に給電し、これにＢＡ１５７ＧＰ整流ブリッジ（３）と１Ｋオームの抵抗が続き、これらは以下の素子、すなわち１６ボルト、２．２マイクロファラドのキャパシタ（５）に相互接続されたＢＣ５４７トランジスタ（４）、これらに相互接続されているＩＮ４７３３Ａツェナーダイオード（６）、１Ｋオームの抵抗（７）、１６ボルト、１０マイクロファラドキャパシタ（８）、及びＴＲＩＡＣゲートを作動させるＭＯＣ電力供給を遮断してこれにより短絡故障状態を除去するＴＱ２‐１２ボルトマイクロリレー（９）に相互接続されている。
【００４０】
故障（短絡）状態が是正されると、本発明のシステムは手動により又は自動的に電力出力に電圧を回復させる。
【００４１】
（二相及び三相動作）
電力ブロックと制御ブロックを備えた電子システムは、各位相（phase）内に配置される。
【００４２】
位相１と位相２の間の故障発生時には、位相１の制御ブロックは位相２の電力供給を中断する。
【００４３】
今度は、位相２の制御ブロックは位相３のＭＯＣ信号を停止し、同様の方法により位相３の制御ブロックは位相１の電力ブロック信号を中断する。
【００４４】
位相２と位相３の間の相互接続のために、これらの二つの位相を取り扱うことが可能なスイッチを付加する必要がある。
【００４５】
（３）４４０ボルト単相、二相及び三相電流
第一のブロックを説明する。このブロックは、４４０Ｖ電力入力（１）と、これに接続された１０Ｋマイクロファラドの二つのキャパシタのアセンブリ（２）と、三つの抵抗（一つは１０Ｋオームで二つは１０Ｍオーム）（３）と、これに相互接続されたＢＡ１５７ＧＰ整流ブリッジ（４）と、５Ｋオームの抵抗と、これに接続された以下の複数の部品、すなわちＭＯＣ  ３０４１（６）に接続された１Ｋオームの抵抗（５）と、これに接続されたＴＲＩＡＣ  Ｑ６０４０Ｐ（７）から構成される。加えて、整流ブリッジ（４）は１００Ｋオームの抵抗（８）と信号送出ＬＥＤ（９）に接続されている。これらの構成部品に加えて、電力出力における電圧漏洩を消去するためのスイッチに接続された２７０オームの抵抗が存在する。
【００４６】
第二のブロックを説明する。このブロックは、４４０Ｖ電力入力（１）と、これに接続された３３Ｋマイクロファラドのキャパシタ（２）と、これに続くＢＡ１５７ＧＰ整流ブリッジ（３）と、５００オームの抵抗と、これらの全てに相互接続された以下の複数の部品、すなわちＢＣ５４７トランジスタ（４）と、これに相互接続された１６ボルト、２．２マイクロファラドのキャパシタ（５）と、これに相互接続されたＩＮ４７３３Ａツェナーダイオード（６）と、１Ｋオームの抵抗（７）と、１６ボルト、１０マイクロファラドのキャパシタ（８）と、ＴＱ２‐１２ボルトマイクロリレー（９）と、信号送出ＬＥＤ（１１）に給電する３３Ｋオームの抵抗（１０）から構成される。
【００４７】
両方のブロックは、４４０ボルト、３アンペアのスイッチと相互接続されている。
【００４８】
システム動作を説明する。電力線は、サブ回路アセンブリ又はキャパシタ及び抵抗のブロックに向けられており、ここで電圧は４４０ボルトから３３ボルト（±５％の変化を有する）に減少させられて整流ブリッジと５Ｋオームの抵抗に供給され、今度は前記５Ｋオームの抵抗はＭＯＣ  ３０４１に１．５ボルトを供給する。ＭＯＣはＴＲＩＡＣ  Ｑ６０４０Ｐゲートを駆動し又は動作させ、前記ＴＲＩＡＣ  Ｑ６０４０Ｐゲートは今度は電力出力に向けられている。電力出力における故障（短絡）の場合には、前記電圧はスイッチを介して第二のブロックキャパシタに電力を再供給し、これによりブロック動作を作動させる。
【００４９】
第二のブロックが作動させられると、第二のブロックの整流ブリッジは３３Ｋマイクロファラドのキャパシタ（２）に給電し、これにＢＡ１５７ＧＰ整流ブリッジ（３）と５００オームの抵抗が続き、これらは以下の素子、すなわち１６ボルト、２．２マイクロファラドのキャパシタ（５）に相互接続されたＢＣ５４７トランジスタ（４）、これらに相互接続されているＩＮ４７３３Ａツェナーダイオード（６）、１Ｋオームの抵抗（７）、１６ボルト、１０マイクロファラドキャパシタ（８）、及びＴＲＩＡＣゲートを作動させるＭＯＣ電力供給を遮断してこれにより短絡故障状態を除去するＴＱ２‐１２ボルトマイクロリレー（９）に相互接続されている。
【００５０】
故障（短絡）状態が是正されると、本発明のシステムは手動により又は自動的に電力出力に電圧を回復させる。
【００５１】
（二相及び三相動作）
電力ブロックと制御ブロックを備えた電子システムは、各位相内に配置される。
【００５２】
位相１と位相２の間の故障発生時には、位相１の制御ブロックは位相２の電力供給を中断する。
【００５３】
今度は、位相２の制御ブロックは位相３のＭＯＣ信号を停止し、同様の方法により位相３の制御ブロックは位相１の電力ブロック信号を停止する。
【００５４】
位相２と位相３の間の相互接続のために、これらの二つの位相を取り扱うことが可能なスイッチを付加する必要がある。
【００５５】
本発明について例示の値の説明は１２７、２２０及び４４０ボルト並びにより大きなものであるが、これらは本発明のおける前記電圧の排他的な使用への限定として構築されるべきではない。第一及び第二のブロックに含まれる部品の値は、所望され又は応用される電圧に従って調整されるからである。
【図面の簡単な説明】
【００５６】
【図１】短絡故障状態の早期検出のための自動的かつ自律的な電子システムである。
【図２】短絡故障状態の早期検出のための自動的かつ自律的な電子システムの第一のブロックである。
【図３】短絡故障状態の早期検出のための自動的かつ自律的な電子システムの第二のブロックである。
【符号の説明】
【００５７】
（図１）
１  第一のブロック
２  第二のブロック
３  スイッチ
（図２）
１  電力入力
２  キャパシタ
３  複数の抵抗
４  整流ブリッジ
５  抵抗
６  ＭＯＣ（オプトカプラ）
７  ＴＲＩＡＣ
８  抵抗
９  信号送出ＬＥＤ
（図３）
１  電力供給線
２  キャパシタ
３  整流ブリッジ
４  トランジスタ
５  キャパシタ
６  ツェナーダイオード
７  抵抗
８  キャパシタ
９  マイクロリレー
１０  抵抗
１１  信号送出ＬＥＤ
【図１】
2013535072.tif 000003
【図２】
2013535072.tif 000004
【図３】
2013535072.tif 000005
【国際調査報告】
2013535072.tif 000006
2013535072.tif 000007